(57)【要約】【課題】コンディショニング効果に優れ、かつ充分な起泡力を有し、皮膚刺激性が少ない洗浄剤組成物を提供すること。【解決手段】２−［（メタ）アクロイルオキシ］エチル−２−（トリメチルアンモニオ）エチルホスフェートと２−ヒドロキシ３−メタクリロイルオキシプロピルメチルアンモニウムクロリドのコポリマーと、分子量３００〜１０００００であるセリシンと、アニオン界面活性剤を含有する洗浄剤組成物によって達成する。この洗浄剤組成物において、アニオン界面活性剤がラウロイルメチル−β−アラニンナトリウムであることが好ましい。【選択図】なし【特許請求の範囲】
【請求項１】
２−［（メタ）アクロイルオキシ］エチル−２−（トリメチルアンモニオ）エチルホスフェートと２−ヒドロキシ３−メタクリロイルオキシプロピルメチルアンモニウムクロリドのコポリマーと、分子量３００〜１０００００であるセリシンと、アニオン界面活性剤を含有することを特徴とする洗浄剤組成物。
【請求項２】
アニオン界面活性剤がラウロイルメチル−β−アラニンナトリウムである請求項１に記載の洗浄剤組成物。
【発明の詳細な説明】
【技術分野】
【０００１】
本発明は、コンディショニング効果に優れ、かつ充分な起泡力を有し、皮膚刺激性が少ない洗浄剤組成物に関する。
【背景技術】
【０００２】
洗浄剤には、洗浄力と泡立ちの良さが求められている。それと同時に、近年では消費者のケア意識が高まり、洗浄剤としての基本的な性能に加えて、洗浄中の使用感および洗浄後の仕上り感の良さ、コンディショニング効果が求められる傾向にある。また、洗浄剤の使用頻度の増加により、皮膚への刺激が少なく洗い上がりが突っ張らないものが求められている。
【０００３】
従来洗浄剤のコンディショニング剤として、カチオン化ポリマーや高分子シリコーン、タンパク質、アミノ酸等を配合することが行われている（例えば、特許文献１〜３参照。）。しかし洗浄中の使用感及び仕上り感の良さにおいて未だ満足のいくものではない。また、低刺激性の洗浄剤としてアシルサルコシン塩、アシルメチル−β−アラニン塩、アシルグルタミン塩等のアミノ酸系の洗浄剤が使用されているが、これらの洗浄剤は、起泡力が弱く、きしみ感を有するため好ましい使用感を得ることができなかった。
【０００４】
２−メタクリロイルオキシエチルホスホリルコリン単量体、およびその単量体を重合した重合体は既に知られている（例えば、特許文献４参照。）。またこの重合体は生体膜をモデルとしているため生体適合性に優れており、吸保湿性、肌荒れ抑制効果に優れた化粧料を提供できることが開示されている（例えば、特許文献５参照。）。しかし、これらのポリマーは水溶性なので、洗浄剤に配合するとポリマーの大部分は洗い流されてしまい、充分な効果をえることができなかった。
【０００５】
【特許文献１】特許第３０６４０３７号公報
【特許文献２】特開昭６３−４５２１３号公報
【特許文献３】特開２０００−３１９１４０号公報
【特許文献４】特開平３−３９３０９号公報
【特許文献５】特開２０００−２６２４９号公報
【発明の開示】
【発明が解決しようとする課題】
【０００６】
上記事情において、上記欠点を解消する技術が求められていた。即ち、本発明の目的とするところは、コンディショニング効果に優れ、かつ充分な起泡力を有し、皮膚刺激性が少ない洗浄剤組成物を提供することにある。
【課題を解決するための手段】
【０００７】
本発明者等は上記事情に鑑み、鋭意研究した結果、特定のポリマーと特定のタンパク質と界面活性剤を含有する洗浄剤組成物が上記目的を達成できることを見出し、本発明を完成したものである。即ち、本発明は、２−［（メタ）アクロイルオキシ］エチル−２−（トリメチルアンモニオ）エチルホスフェートと２−ヒドロキシ３−メタクリロイルオキシプロピルメチルアンモニウムクロリドのコポリマーと、分子量３００〜１０００００であるセリシンと、アニオン界面活性剤を含有する洗浄剤組成物である。さらに、この洗浄剤組成物において、アニオン界面活性剤がラウロイルメチル−β−アラニンナトリウムであることが好ましい。
【発明の効果】
【０００８】
本発明は、コンディショニング効果に優れ、かつ充分な起泡力を有し、皮膚刺激性が少ない洗浄剤組成物を提供できる。
【発明を実施するための最良の形態】
【０００９】
本発明に用いられる、２−［（メタ）アクロイルオキシ］エチル−２−（トリメチルアンモニオ）エチルホスフェートと２−ヒドロキシ３−メタクリロイルオキシプロピルメチルアンモニウムクロリドのコポリマーとしては、例えば、リピジュアＣの販売名で日本油脂（株）から上市されているものが挙げられる。このポリマーの配合量は、組成物全体に対して０．００１％〜１質量％（以下、単に％という。）が好ましく、さらに好ましくは０．０１〜０．５％である。０．００１％未満であると充分なコンディショニング効果がみられず、また、１％を超えると洗髪後の毛髪がごわつきがみられ、さらに充分な起泡力がえられない。
【００１０】
本発明に用いられるセリシンは、抽出等により分離されたままでもよいが、酸、アルカリ又は酵素によって加水分解されたものでもよい。その分子量は３００〜１０００００のものである。分子量が３００より小さいものは、充分な効果を発揮することが困難な場合があり、１０００００より大きいものでは洗浄後にべたつき等の後残り感が感じられることがある。セリシンの配合量は、特に限定されることはないが組成物全体に対して０．００１〜１％が好ましい。
【００１１】
本発明に用いられるアニオン界面活性剤としては、特に限定されるものはないが、例えば脂肪酸セッケン、エーテルカルボン酸塩、Ｎ−アシルサルコシン塩、Ｎ−アシルグルタミン酸塩、αーオレフィンスルホン酸塩、アルキルエーテル硫酸塩、アルキルリン酸塩、アルキルエーテルリン酸等が挙げられる。これらアニオン界面活性剤を適宜選択し、１種または２種以上を用いることができる。これらの中で、Ｎ−アシル−β−アラニン塩が好ましく、その中でもさらにラウロイルメチル−β−アラニンナトリウムが起泡力、使用感の面で特に好ましい。これらアニオン界面活性剤の配合量は特に限定されるものではないが、組成物全体に対して、１〜２０％が好ましく、さらに好ましくは５〜１５％である。
【００１２】
本発明の洗浄剤組成物には、上述した成分の他にも、目的に応じて洗浄剤組成物に通常使用されている成分を本発明の達成する範囲内で、適宜配合することができる。これらの成分としては、例えば、ノニオン界面活性剤、両性界面活性剤、カチオン界面活性剤、保湿剤、カチオン性高分子、シリコーン誘導体、油分、植物抽出エキス、粘度調整剤、パール化剤、薬剤、防腐剤、キレート剤、酸化防止剤、ＰＨ調整剤、色素、香料等が挙げられる。
【００１３】
本発明の洗浄剤組成物は、特に対象、剤型にとらわれず、ヘアシャンプー、ボディーシャンプー、ハンドソープ、洗顔料等に使用することができる。
【実施例】
【００１４】
本発明を、実施例に基づき詳細に説明するが、本発明はこれにより限定されるものではない。実施例に先立ち、各実施例で採用した試験法、評価法を説明する。
【００１５】
・洗髪中の使用感試験法
１０名のパネルが各実施例の試料（以下、単に「試料」という）で洗髪し、洗髪中の指通り、髪のきしみの有無等の使用感について「良い」、「普通」、「悪い」の３段階で判定し、判定結果を「良い」と回答した人数により判断した。
【００１６】
判断基準は以下の通りである。
◎：大変優れている    「良い」と答えた試験対象者の数が８名以上
○：優れている        「良い」と答えた試験対象者の数が６名以上、８名未満
△：劣っている        「良い」と答えた試験対象者の数が４名以上、６名未満
×：大変劣っている    「良い」と答えた試験対象者の数が４名未満
【００１７】
・洗髪乾燥後の毛髪の仕上がり感試験法
１０名のパネルが試料で洗髪し、洗髪乾燥後の毛髪のしっとり感、柔軟性、しなやかさ等の仕上がりについて「良い」、「普通」、「悪い」の３段階で判定し、判定結果を「良い」と回答した人数により判断した。
【００１８】
判断基準は以下の通りである。
◎：大変優れている    「良い」と答えた試験対象者の数が８名以上
○：優れている        「良い」と答えた試験対象者の数が６名以上、８名未満
△：劣っている        「良い」と答えた試験対象者の数が４名以上、６名未満
×：大変劣っている        「良い」と答えた試験対象者の数が４名未満
【００１９】
・起泡性試験法
活性剤濃度２％の水溶液（ＣａＣＯ３５０ｐｐｍ人工硬水使用、４０℃）を調整し、ロスマイルス試験法に準じて行った。
【００２０】
判断基準は以下の通りである。
◎：泡立ち優秀    泡高さ２５０ｍｍ以上
○：泡立ち良好    泡高さ２１０ｍｍ以上  ２５０ｍｍ未満
△：泡立ち普通    泡高さ１７０ｍｍ以上  ２１０ｍｍ未満
×：泡立ち不良    泡高さ１７０ｍｍ未満
【００２１】
・皮膚刺激性試験法（安全性試験）
（１）皮フ刺激性（蛋白質変性率）試験法
水系高速液体クロマトグラフィーを利用し、卵白アルブミンＰＨ７緩衝溶液に、試料濃度１％になるように試料を加えた場合の卵白アルブミン変性率を、２２０ｎｍの吸収ピークを測定し、数式（１）を用いて算出した。
［数１］
変性率（％）＝Ｈｏ−Ｈｓ／Ｈｏ×１００      （１）
Ｈｏ：卵白アルブミンの２２０ｎｍ吸収ピークの高さ
Ｈｓ：卵白アルブミン緩衝溶液に試料を加えた時の２２０ｎｍ吸収ピークの高さ
また、評価の基準を次のように設定した。
◎…卵白アルブミン変性率３０％未満
○…卵白アルブミン変性率３０％以上６０％未満
△…卵白アルブミン変性率６０％以上８０％未満
×…卵白アルブミン変性率８０％以上
【００２２】
実施例１〜６及び比較例１〜４（ヘアシャンプー）
表１に記載の配合組成によるシャンプーを常法により調整し、その洗髪中の使用感、洗髪乾燥後の仕上がり感、起泡性、皮膚刺激性について調べ、その結果を表１に示した。
【００２３】
【表１】
2007031632.tif 000002
【００２４】
表１から明らかなように、本発明による洗浄剤組成物は比較例の組成物に比べて、優れた性能を示していた。
【００２５】
実施例７  ヘアーシャンプー
ポリオキシエチレン（２）ラウリルエーテル硫酸ナトリウム          ４０．０
ラウロイルメチル−β−アラニンナトリウム                          ５．０
ヤシ油脂肪酸モノエタノールアミド                                  １．０
ヤシ油脂肪酸アミドプロピルベダイン                              １０．０
カチオン化セルロース誘導体                                        ０．３
（商品名：カチナールＨＣ−２００［東邦化学工業社製］）
塩化Ｏ−［２−ヒドロキシ−３−（トリメチルアンモニオ）
プロピル］グアーガム                                        ０．１
ＰＯＥ（１０）ＰＯＰ（２）ヤシ油脂肪酸グリセリル                  ２．０
高分子シリコン水性乳濁液                                          １．５
（商品名：シリコンＫＭ−９０６［信越化学社製］）
ジステアリン酸エチレングリコール                                  ２．０
リピジュア−Ｃ                                                    ０．０５
セリシン                                                          ０．５
加水分解コムギ                                                    ０．０５
（商品名：ＧＬＵＡＤＩＮ  Ｗ２０〔コグニスジャパン社製〕）
クエン酸                                                          ０．１
安息香酸ナトリウム                                                ０．３
ＥＤＴＡ                                                          ０．１
香料                                                              ０．５
精製水                                                            バランス
【００２６】
常法により上記組成のシャンプーを調整し、洗髪中の使用感、洗髪乾燥後の仕上がり感、起泡性、皮膚刺激性を評価したところ、いずれの特性も優れており良好な結果を得た。
【００２７】
実施例８  ボディシャンプー
ラウリン酸カリウム                                              １０．０
ミリスチン酸カリウム                                              ４．０
パルミチン酸カリウム                                              ６．０
ラウロイルメチル−β−アラニンナトリウム                          ５．０
ラウリル硫酸トリエタノールアミン                                  ４．０
２−アルキル−Ｎ−カルボキシメチル−Ｎ−ヒドロキシ
エチルイミダゾリニウムベダイン                                ２．０
ヤシ油脂肪酸アミドプロピルベダイン                                ２．０
ジステアリン酸エチレングリコール                                  ２．０
ヒドロキシプロピルメチルセルロース                                ０．３
濃グリセリン                                                      １．０
プロピレングリコール                                              ５．０
ヤシ油脂肪酸モノエタノールアミド                                  １．０
リピジュアＣ                                                      ０．５
セリシン                                                          ０．０５
モモ葉エキス                                                      １．０
ＥＤＴＡ                                                          ０．１
香料                                                              ０．５
精製水                                                            バランス
【００２８】
常法により上記組成のボディシャンプーを調整し、使用感、起泡性、皮膚刺激性を評価したところ、いずれの特性も優れており良好な結果を得た。
【産業上の利用可能性】
【００２９】
本発明により、コンディショニング効果に優れ、かつ充分な起泡力を有し、皮膚刺激性が少ない洗浄剤組成物を提供できる。